(57)【要約】【課題】導水路に溜まったゴミを簡単に除去することができ、しかも、排水路を構築する構築物の上面に大きく露呈せず、構築物の景観を著しく損ねることのない排水路用の導水部材、及び、排水路構築用のブロックを提供する。【解決手段】排水路を構築する構築物に埋設され、排水路外の地表水及び地中水を排水路内へと導く排水路用の導水部材１０であって、前記構築物の上面に開口する上面開口部２０と、前記構築物の外側面に開口する外側面開口部２１と、前記構築物の排水路側の面に開口する排水路側開口部２２と、前記上面開口部２０、上記外側面開口部２１及び前記排水路側開口部２２の間に渡って連続して開放されたスリット状の導水路３０とを備える。【選択図】　　　　図１
2004044188.tif 000002
【特許請求の範囲】
【請求項１】
排水路を構築する構築物に埋設され、排水路外の地表水及び地中水を排水路内へと導く排水路用の導水部材であって、
前記構築物の上面に開口する上面開口部と、前記構築物の外側面に開口する外側面開口部と、前記構築物の排水路側の面に開口する排水路側開口部と、前記上面開口部、上記外側面開口部及び前記排水路側開口部の間に渡って連続して開放されたスリット状の導水路と
を備えることを特徴とする排水路用の導水部材。
【請求項２】
前記導水路は、前記外側面開口部から前記排水路側開口部へと下り傾斜する底面を備えることを特徴とする請求項１に記載の排水路用の導水路部材。
【請求項３】
前記外側面開口部は、前記排水路側開口部よりも幅広に形成されていることを特徴とする請求項１または請求項２に記載の排水路用の導水部材。
【請求項４】
前記導水路には、フィルター部材が取り外し可能に装着されることを特徴とする請求項１から請求項３までのいずれか一つに記載の排水路用の導水部材。
【請求項５】
排水路を構築する排水路構築用のブロックであって、
上面、外側面及び排水路側の面の間に渡って連続して開放され、排水路外の地表水及び地中水を排水路内に導くスリット状の導水路を備えることを特徴とする排水路構築用のブロック。
【発明の詳細な説明】
【０００１】
【発明の属する技術分野】
本発明は、導水部材及びブロックに関し、詳しくは、排水路を構築する構築物に埋設され、排水路外の地表水及び地中水を排水路内へと導く排水路用の導水部材、及び、排水路を構築する排水路構築用のブロックに関する。
【０００２】
【従来の技術】
道路の側縁等に側溝や暗渠等の排水路を構築する場合には、コンクリート等により単体のブロック状に形成された排水路構築用のブロックを地面に埋設したり、地面に直にコンクリートを打設して、排水路を構築することが一般に行われている。ここで、例えば、舗装が施された道路では、道路の表面に雨水が溜まる。また、透水性舗装が施された道路では、道路の下層に雨水が溜まる。よって、道路の表面に溜まる地表水や道路の下層に溜まる地中水を排水路へと円滑に排水することが望まれる。
【０００３】
そこで、排水路周辺に溜まる地表水や地中水を排水路内へと導くために、例えば特許第２９８７５７５号公報に記載されているように、ブロックに導水部材を装着或いは埋設することが案出された。この導水部材は、上面及び側面に導水孔が穿設された箱状に形成され、その上面及び側面をブロックの上面及び側面に露呈するようにして、ブロックに装着或いは埋設されるものであり、地表水及び地中水を、夫々、上面の導水孔及び側面の導水孔から導き、内部の導水路を通じて排水路内へと排出させるものである。
【０００４】
【発明が解決しようとする課題】
上述した従来の導水部材では、内部の導水路を通じて地表水及び地中水を排水路内へと排出するため、導水路に砂利や枯葉等のゴミが溜まった場合には、地表水や地中水を排水路内に円滑に排出することができなくなる。そこで、導水路に溜まったゴミを除去しなければならないのであるが、従来の導水部材は、箱状に形成されているため、導水路に溜まったゴミを、外部からの作業によっては簡単に除去することができず、ゴミの除去に際して煩雑な作業を必要とするものであった。
【０００５】
また、従来の導水部材は、排水路の長手方向に大きな箱状に形成されたものであるため、ブロックの上面に大きく露呈する。よって、ブロックにより構築された排水路の上面の統一感が低下し、景観を著しく損ねるといった問題も生じていた。
【０００６】
本各発明は、上記実状を鑑みてなされたものであり、導水路に溜まったゴミを簡単に除去することができ、しかも、排水路を構築する構築物の上面に大きく露呈せず、構築物の景観を著しく損ねることのない排水路用の導水部材、及び、排水路構築用のブロックを提供することを課題とする。
【０００７】
【課題を解決するための手段】
請求項１に記載の発明に係る排水路用の導水部材は、排水路を構築する構築物に埋設され、排水路外の地表水及び地中水を排水路内へと導く排水路用の導水部材であって、前記構築物の上面に開口する上面開口部と、前記構築物の外側面に開口する外側面開口部と、前記構築物の排水路側の面に開口する排水路側開口部と、前記上面開口部、上記外側面開口部及び前記排水路側開口部の間に渡って連続して開放されたスリット状の導水路とを備えることを特徴とするものである。
【０００８】
ここで、排水路を構築する構築物としては、特に限定するものではないが、コンクリート等により形成されて地面に連設状態で埋設される排水路構築用のブロックや、地面に直にコンクリートを打設してなるものを例示することができる。また、排水路構築用のブロックとしては、Ｕ字側溝、可変側溝、暗渠等の排水路としての側溝を構築するための側溝ブロック、排水路に部分的に設けられる集水升を形成するための集水升ブロック、上方が開放された側溝を塞ぐための側溝蓋ブロック、車道と歩道との間等に設けられ、排水路周辺の構築物を構成する歩車道境界ブロック等、コンクリート等により形成されると共に排水路を構築するために用いられる種々の形態のブロックを例示することができる。
【０００９】
本発明では、導水路が、上面開口部、外側面開口部及び排水路側開口部の間に渡って連続して開放された形態であるため、開放部分に棒等を差し入れ、上面開口部や外側面開口部から排水路側開口部に向けて引っかく等すれば、導水路に溜まったゴミを容易に除去し得る。よって、外部からの容易な作業によって、導水路に溜まったゴミを除去することが可能となる。
【００１０】
また、導水路がスリット状であるため、構築物の上面に開口する上面開口部の幅は狭く、構築物の上面に大きく露呈しない。よって、排水路を構築する構築物の景観を著しく損ねることがない。
【００１１】
なお、スリットとは、細い間隙を指すものであり、本発明においては、排水路の長手方向の寸法を「幅寸法」とし、排水路の長手方向に交差する方向の寸法を「長さ寸法」と表した場合、導水路の全体を、長さ寸法よりも幅寸法が小さい形態とすればよい。特に、上面開口部について、長さ寸法よりも幅寸法が小さい形態とすると、構築物の上面に露呈される部分である上面開口部を、より一層狭くすることができ、好適である。
【００１２】
請求項２に記載の発明に係る排水路用の導水部材は、請求項１に記載の発明に係る排水路用の導水部材において、前記導水路は、前記外側面開口部から前記排水路側開口部へと下り傾斜する底面を備えることを特徴とするものである。
【００１３】
本発明では、上面開口部から導かれた地表水及び外側面開口部から導かれた地中水が、下り傾斜する導水路の底面によって排水路側開口部へと、円滑に流れるため、導水効果が向上する。また、地表水及び地中水は、排水路側開口部へと勢いよく流れるため、導水路内にゴミが停留し難くなり、導水路にゴミが溜まり難くなる。
【００１４】
請求項３に記載の発明に係る排水路用の導水部材は、請求項１または請求項２に記載の発明に係る排水路用の導水部材において、前記外側面開口部は、前記排水路側開口部よりも幅広に形成されていることを特徴とするものである。
【００１５】
本発明では、外側面開口部が、排水路側開口部よりも幅広で大きく開口するため、地中水の集水能力が向上する。また、外側面開口部よりも排水路側開口部が狭くなることから、導水路内の水の流れは、排水路側開口部に向かう程、流速が速くなる。よって、導水路内にゴミが停留し難くなり、導水路にゴミが溜まり難くなる。
【００１６】
請求項４に記載の発明に係る排水路用の導水部材は、請求項１から請求項３までのいずれか一つに記載の発明に係る排水路用の導水部材において、前記導水路には、フィルター部材が取り外し可能に装着されることを特徴とするものである。
【００１７】
ここで、フィルター部材とは、砂利や枯葉等のゴミを濾し取るための部材の広範を指すものであるが、例えば、適宜粗さの網、スポンジ、ヘチマ、軸方向を導水路の水の流れ方向として筒材を複数束ねて一体化してなる部材等、種々の部材を例示することができる。なお、上記の筒材として、竹材、木材等の天然資材を採用すると、環境に悪影響を及ぼし難く、また、竹材や間伐材を採用することで、資源の有効利用を図ることができ、好適である。
【００１８】
本発明では、導水路に装着されたフィルター部材によりゴミが濾し取られるため、導水路にゴミが溜まり難くなる。また、フィルター部材は、導水路に取り外し可能に装着されているため、フィルター部材に目詰まりが生じた場合には、このフィルター部材を取り外して掃除したり、新たなものと交換すればよい。
【００１９】
なお、導水路の開放部分全体を通じてフィルター部材を取り外し可能としてもよいが、上面開口部が構築物の上面に露呈するため、この上面開口部を通じてフィルター部材を取り外し可能とすると、構築物の外部からフィルター部材を簡便に取り外したり装着することができるので、好適である。
【００２０】
請求項５に記載の発明に係る排水路構築用のブロックは、排水路を構築する排水路構築用のブロックであって、上面、外側面及び排水路側の面の間に渡って連続して開放され、排水路外の地表水及び地中水を排水路内に導くスリット状の導水路を備えることを特徴とするものである。
【００２１】
ここで、本発明では、上述した導水部材を採用して導水路を形成してもよいが、導水部材を採用せずに導水路を形成してもよい。導水部材を採用せずに導水路を形成する態様では、例えば、コンクリート等によって形成されたブロック自体に、導水路となるスリット状の切り欠きを設ければよい。
【００２２】
本発明では、導水路が上面、外側面及び排水路側の面の間に渡って連続して開放された形態であるため、外部からの容易な作業によって、導水路に溜まったゴミを除去することが可能となる。
【００２３】
また、本発明に係るブロックを用いて排水路を構築すれば、導水路が構築物の上面に大きく露呈せず、排水路を構築する構築物の景観を著しく損ねることがない。
【００２４】
【発明の実施の形態】
本発明に係る排水路用の導水部材、及び、排水路構築用のブロックの実施形態を、以下に、図面に基づいて詳細に説明する。
【００２５】
図１及び図２に、導水部材１０の一例を示す。この導水部材１０は、略Ｌ字状に形成されて対向配置された一対の側板部１１と、各側板部１１間を連結して底部を構成する底板部１２とを備え、略全体が、亜鉛めっき鋼板やステンレス鋼板等の板材を折り曲げて形成されたものである。また、各側板部１１の外側面には、ナット等により構成されたアンカー部１３が溶接等により固着されており、このアンカー部１３によって、コンクリート等により形成される排水路構築用のブロックに堅固に埋設固定される。
【００２６】
また、導水部材１０は、排水路構築用のブロックに埋設した状態で、ブロックの上面に開口する上面開口部２０と、ブロックの外側面に開口する外側面開口部２１と、ブロックの排水路側の面に開口する排水路側開口部２２とを備えている。そして、この導水部材１０では、一対の側板部１１の間にスリット状の導水路３０が形成され、この導水路３０は、上面開口部２０、外側面開口部２１及び排水路側開口部２２の間に渡って開放されている。ここで、導水路３０の底面３１は、各側板部１１間の底板部１２の上面によって構成されるのであるが、この底面３１は、外側面開口部２１から排水路側開口部２２へと下り傾斜した形態となっている。また、外側面開口部２１は、排水路側開口部２２よりも幅広に形成されている。
【００２７】
ところで、本例の導水部材１０は、例えば、図３に示すように、Ｕ字側溝を構築する側溝ブロック５０に埋設され、側溝ブロック５０の上面、外側面、及び、排水路Ｈを構成する内側面に開口し、上部が開放されたスリット状の導水路３０を構成するものである。なお、本例の側溝ブロック５０は、上部に側溝蓋ブロックが載置される蓋載置部５１が凹設されたものであるため、導水部材１０もこれに対応して、図１に示すように、上面開口部２０と排水路側開口部２２との間が段差状に形成されており、この段差状に形成された部分によって蓋載置部２３が構成されている。
【００２８】
図３に示した側溝ブロック５０は、適宜間隔で一側に導水部材１０が埋設され、この導水部材１０によって形成されたスリット状の導水路３０を有してなるものであり、排水路構築用のブロックの一例を示すものである。そして、この側溝ブロック５０は、図４に示すように、透水性の舗装が施された道路Ｄ側に導水路３０が位置するように、道路Ｄの側縁に埋設されて、道路Ｄの側縁に排水路Ｈとしての側溝を構築するものである。
【００２９】
この側溝ブロック５０では、上面開口部２１と排水路側開口部２２との間に設けられた蓋載置部２３に側溝蓋ブロック５２が載置されて、内側面により形成された排水路Ｈが閉塞されるのであるが、側溝ブロック５０の上面には、上面開口部２０が開口し、側溝ブロック５０の外側面には、外側面開口部２１が開口し、これら上面開口部２０と外側面開口部２１とに導水路３０を通じて連通する排水路側開口部２２が、排水路Ｈを形成する側溝ブロック５０の内側面に開口する。よって、道路Ｄの表面の地表水は、上面開口部２０から導水路３０に導かれて排水路側開口部２２から排水路Ｈへと排出される。また、道路Ｄの下層の地中水は、外側面開口部２１から導水路３０に導かれて排水路側開口部２２から排水路Ｈへと排出される。ここで、導水路３０の底面３１は排水路側開口部２２へと下り傾斜しているので、地表水及び地中水は、導水路３０内を円滑に流れる。また、外側面開口部２１は幅広であるので、地中水は良好に集水される。
【００３０】
ところで、側溝ブロック５０の導水路３０は、そのままの開放領域としてもよいのであるが、砂利や枯葉等のゴミが溜まって目詰まりを起こさないように、導水路３０に透水性のある部材を充填してもよい。例えば、道路Ｄに透水性の舗装を施す際に、この舗装作業に伴って、導水路３０に透水性のある舗装材を充填してもよい。
【００３１】
一方、図５に示すように、導水路３０にフィルター部材４０を取り外し可能に装着してもよい。ここで、フィルター部材４０としては、軸方向が導水路３０内の水の流れ方向となるように筒材を複数束ねてなる筒状フィルター部材４１、ステンレス線材等により形成された網材を丸めて固めて構成されたり、ステンレス線材等の線材自体を丸めて固めて構成されたり、或いは、ヘチマ等により構成されてなり、三次元方向に網目を有する三次元網目状フィルター部材４２等を例示することができる。そして、本例では、このようなフィルター部材４０を、上面開口部２０を通じて、取り外し可能に装着してあり、側溝ブロック５０に側溝蓋ブロック５２を載置した状態であっても、フィルター部材４０を取り外して掃除したり、交換することができるようにしてある。
【００３２】
本発明に係る導水部材及びブロックは、上述の例に限らず、本発明の要旨を逸脱しない範囲で、例えば以下のように、種々の変形が可能である。
【００３３】
図６に、可変側溝を構築する側溝ブロック６０に上述の導水部材１０を採用したものを示す。ここで、可変側溝は、逆Ｕ字状に形成されて内側面によって排水路Ｈを構成するものであり、排水路Ｈの底面の勾配を可変としたものである。この側溝ブロック６０では、上面の中央部分が開放され、この開放部分によって蓋載置部６１が構成されている。そして、この蓋載置部６１の一側に、適宜間隔で導水部材１０が埋設されており、この導水部材１０によって、上面、外側面及び排水路Ｈ側の面に開口する導水路３０が形成されている。
【００３４】
図７に、排水路を閉塞する側溝蓋ブロック７０に導水部材１０ａを採用したものを示す。この側溝蓋ブロック７０では、片側の一側面に導水部材１０ａが埋設されており、この導水部材１０ａによって、側溝蓋ブロック７０の側面に開放されたスリット状の導水路３０が形成されている。ここで、導水部材１０ａは、側溝蓋ブロック７０の上面に開口する上面開口部２０と、側溝蓋ブロック７０の側面、すなわち外側面、に開口する外側面開口部２１と、側溝蓋ブロック７０の下面、すなわち排水路側の面、に開口する排水路側開口部２２とを備えたものである。
【００３５】
この側溝蓋ブロック７０では、図８に示すように、上面開口部２０と排水路側開口部２２とが上下方向に対向しており、導水路３０が側溝蓋ブロック７０の側面において上下方向に貫通する。ここで、排水路側開口部２２は、上面開口部２０よりも大きく開口する。よって、上面開口部２０は、側溝蓋ブロック７０の上面に小さく開口するだけであるが、排水路側開口部２２は、側溝蓋ブロック７０の下面に大きく開口して排水路Ｈに確実に露呈する。これにより、上面開口部２０から導かれた地表水及び外側面開口部２１から導かれた地中水は、導水路３０を通じて排水路Ｈへと円滑且つ確実に排出される。
【００３６】
図９に、歩車道境界ブロック８０に導水部材１０ｂを採用したものを示す。ここで、歩車道境界ブロック８０とは、車道と歩道とを区画するためのものであり、排水路自体を構築するためのものではないが、側溝等の排水路に並設される態様では、車道に溜まった雨水を排水路へと導く機能を有しており、排水路の周辺の構築物を構築するものである。
【００３７】
この歩車道境界ブロック８０は、平板状の基台部８１と、この基台部８１の中央部分から突出する縁石部８２と、縁石部８２に貫通された水抜き孔８３とを備えるものである。そして、基台部８１には、水抜き孔の底面に相当する部位に、導水部材１０ｂが埋設されている。ここで、導水部材１０ｂは、歩車道境界ブロック８０の上面に開口する上面開口部２０と、歩車道境界ブロック８０の一側面、より具体的には排水路とは反対側の側面、すなわち外側面、に開口する外側面開口部２２と、歩車道境界ブロック８０の他側面、より具体的には排水路側の側面、すなわち排水路側の面、に開口する排水路側開口部２１とを備えたものであり、基台部８１の上面に、上部が開放されたスリット状の導水路３０を形成するものである。
【００３８】
この歩車道境界ブロック８０は、図１０に示すように、排水路Ｈを構成する例えば図３に示したような側溝ブロック５０に並設され、透水性の舗装が施された車道Ｄ１と、側溝ブロック５０が埋設された歩道Ｄ２とを区画するものである。この歩車道境界ブロック８０では、その上面、車道Ｄ１側の外側面、及び、排水路Ｈ側の面に、夫々、導水部材１０ｂの上面開口部２０、外側面開口部２１、及び、排水路側開口部２２が開口しており、上面開口部２０から車道Ｄ１の地表水を導水路３０に導き、外側面開口部２１から車道Ｄ１の地中水を導水路３０に導いて、導水路３０を通じて排出路側開口部２２から排出する。ここで、排水路側開口部２２には、側溝ブロック５０に埋設された導水部材１０が接続されており、歩車道境界ブロック８０の導水路３０は、側溝ブロック５０の導水路３０に連通する。よって、歩車道境界ブロック８０の排水路側開口部２２から排出された地表水及び地中水は、側溝ブロック５０の導水路３０を通じて、側溝ブロック５０内の排水路Ｈに排出される。また、歩車道境界ブロック８０の導水路３０の底面３１は、外側面開口部２１から排水路側開口部２２に向かって下り傾斜されている。これにより、上面開口部２０から導かれた地表水及び外側面開口部２１から導かれた地中水は、排水路Ｈへと円滑且つ確実に排出される。
【００３９】
以上の各例では、側溝ブロック５０，６０、側溝蓋ブロック７０や歩車道境界ブロック８０等の排水路Ｈを構築する排水路構築用のブロックに、導水部材１０，１０ａ，１０ｂを埋設し、これによりスリット状の導水路３０を形成することとしたが、本発明に係る排水路構築用のブロックは、これに限らない。例えば、導水部材１０，１０ａ，１０ｂを省略して、ブロック自体に直にスリット状の導水路３０を形成してもよい。
【００４０】
【発明の効果】
本発明によれば、次のような効果を得ることができる。
【００４１】
請求項１に記載の発明によれば、導水路が、上面開口部、外側面開口部及び排水路側開口部の間に渡って連続して開放された形態であるため、導水路に溜まったゴミを簡単に除去することができる。また、導水路がスリット状であるため、排水路を構築する構築物の上面に大きく露呈せず、構築物の景観を著しく損ねることがない。
【００４２】
請求項２に記載の発明によれば、請求項１に記載の発明から得られる効果に加えて、導水路が、上面開口部から外側面開口部へと下り傾斜する底面を備えるため、導水路に導かれた地表水及び地中水を排水路側開口部へと円滑に流すことができ、導水効果を向上させることができる。また、地表水及び地中水を排水路側開口部へと勢いよく流すことができるため、導水路にゴミが溜まり難くすることもできる。
【００４３】
請求項３に記載の発明によれば、請求項１または請求項２に記載の発明から得られる効果に加えて、外側面開口部が、排水路側開口部よりも幅広で大きく開口するため、地中水の集水能力を向上させることができる。また、導水路内に流れる水の流速を、排水路側開口部に向かう程、速くすることができるため、導水路にゴミが溜まり難くすることもできる。
【００４４】
請求項４に記載の発明によれば、請求項１から請求項３までのいずれか一つに記載の発明から得られる効果に加えて、導水路に装着されたフィルター部材によってゴミを濾し取ることができるため、導水路にゴミが溜まり難くすることができる。また、フィルター部材が導水路に取り外し可能に装着されているため、フィルター部材の掃除や交換を簡単に行うことができる。
【００４５】
請求項５に記載の発明によれば、導水路が上面、外側面及び排水路側の面の間に渡って連続して開放された形態であるため、導水路に溜まったゴミを簡単に除去することができる。また、本発明に係るブロックを用いて排水路を構築すれば、導水路が構築物の上面に大きく露呈しないため、構築物の景観を著しく損ねることがない。
【図面の簡単な説明】
【図１】本発明に係る排水路用の導水部材の一例を示す斜視図である。
【図２】図１に示した導水部材の、（ａ）は正面図、（ｂ）は平面図、（ｃ）は底面図、（ｄ）は右側面図、（ｅ）は背面図である。
【図３】本発明に係る排水路構築用のブロックの一例を示す斜視図である。
【図４】図３に示したブロックの使用状態を示す断面正面図である。
【図５】フィルター部材を例示する部分斜視図である。
【図６】本発明に係る排水路構築用のブロックの別例を示す斜視図である。
【図７】本発明に係る排水路構築用のブロックの別例を示す斜視図である。
【図８】図７に示したブロックの使用状態を示す断面正面図である。
【図９】本発明に係る排水路構築用のブロックの別例を示す斜視図である。
【図１０】図９に示したブロックの使用状態を示す断面正面図である。
【符号の説明】１０　　導水部材
１０ａ　導水部材
１０ｂ　導水部材
２０　　上面開口部
２１　　外側面開口部
２２　　排水路側開口部
３０　　導水路
３１　　底面
４０　　フィルター部材
５０　　側溝ブロック（ブロック）
６０　　側溝ブロック（ブロック）
７０　　側溝蓋ブロック（ブロック）
８０　　歩車道境界ブロック（ブロック）
【図１】
2004044188.tif 000003
【図２】
2004044188.tif 000004
【図３】
2004044188.tif 000005
【図４】
2004044188.tif 000006
【図５】
2004044188.tif 000007
【図６】
2004044188.tif 000008
【図７】
2004044188.tif 000009
【図８】
2004044188.tif 000010
【図９】
2004044188.tif 000011
【図１０】
2004044188.tif 000012